(57)【要約】【課題】小物入れとしても使用可能なカップホルダを得る。【解決手段】カップホルダ１０の分割フラップ１８、２０に形成した傾斜面４４、４６がカップ７０によって上方から下方へ向けって押圧されると、分割フラップ１８、２０が閉止位置から互いに離間する方向へスライドして、分割フラップ１８、２０の自由端１８Ａ、２０Ａが当接部４０の上端部４０Ａから外れ、軸２２、２４を回転中心にして下方へ回転するようになっている。一方、分割フラップ１８、２０に形成した載置部５０、５２の底部５０Ａ、５２Ａが携帯電話機等の小物によって下方へ押圧された場合には、分割フラップ１８、２０が閉止位置から互いに離間する方向へスライドしないため、分割フラップ１８、２０は当接部４０によって回転を防止されるようになっている。【選択図】図４
2015058797.tif 000002
【特許請求の範囲】
【請求項１】
上面に飲料容器を挿入するための開口部が形成され、前記開口部の下方に前記飲料容器の底部を支持する支持部を有する容器保持部と、
前記容器保持部における前記支持部の上方に開閉可能に設けられ、前記開口部の開口面に沿った方向へのスライドと、上下方向への回転が可能なフラップと、
前記フラップの上面部に形成され、前記飲料容器の底部によって下方へ押圧されることで前記フラップに前記スライドと前記回転とをさせるための傾斜面と、
前記フラップの上面部に前記傾斜面に隣接して形成され、略水平とされた底部に小物が載置可能な載置部と、
閉位置にある前記フラップに当接する部位に設けられ、前記フラップの前記閉位置から下方への回転を防止すると共に、前記閉位置から前記開口面に沿った方向へスライドした位置からの下方への回転を許容する当接部と、
前記閉位置方向へ前記フラップを付勢し、前記フラップを前記飲料容器に押し当てることで前記支持部に支持された前記飲料容器のガタ付きを抑制する付勢手段と、
を備えるカップホルダ。
【請求項２】
前記フラップと前記容器保持部との何れか一方に軸を設け、他方に前記スライド方向に沿った長孔を備え、前記長孔で前記軸を軸支する軸受部を設けると共に、前記当接部は前記容器保持部における前記フラップの回転軌跡上に形成されている請求項１に記載のカップホルダ。
【請求項３】
前記当接部は前記フラップにおける前記回転中心と反対側となる自由端側に当接する請求項１又は請求項２に記載のカップホルダ。
【請求項４】
前記フラップは複数の分割フラップで構成されており、前記フラップの前記閉位置において前記分割フラップに形成された前記載置部が互いに対向する位置となる請求項１〜３の何れか１項に記載のカップホルダ。
【請求項５】
前記フラップが前記開閉方向へ移動することで作動するスイッチ部材を備えた請求項１〜４の何れか１項に記載のカップホルダ。
【発明の詳細な説明】
【技術分野】
【０００１】
本発明は、カップ等の飲料容器を収納するカップホルダに関する。
【背景技術】
【０００２】
特許文献１に記載のカップホルダでは、ホルダ本体がカップを受け止める収容部を備えている。また、収容部にカップを挿入するとき、そのカップから受ける負荷により第１軸部に対する第１ガイド溝及び第２軸部に対する第２ガイド溝の各案内を伴って収容部内から収容部外へ退避する方向へ揺動してカップの径方向の動きを拘束する当接部材と、この接部材を突出方向へ付勢している付勢手段と、を備えている。
【先行技術文献】
【特許文献】
【０００３】
【特許文献１】特開２０１０−８９５９２号公報
【発明の概要】
【発明が解決しようとする課題】
【０００４】
しかしながら、特許文献１に記載のカップホルダでは、カップの底面を受け止める収容部の底部が深い。このため、携帯電話機等の小物入れると、小物が収容部の底部に落ち込み、小物が取り出せなくなる。この結果、小物入れとしては使用できない。
【０００５】
本発明は上記事実を考慮し、小物入れとしても使用可能なカップホルダを得ることを課題とする。
【課題を解決するための手段】
【０００６】
本発明の請求項１に係るカップホルダは、上面に飲料容器を挿入するための開口部が形成され、前記開口部の下方に前記飲料容器の底部を支持する支持部を有する容器保持部と、前記容器保持部における前記支持部の上方に開閉可能に設けられ、前記開口部の開口面に沿った方向へのスライドと、上下方向への回転が可能なフラップと、前記フラップの上面部に形成され、前記飲料容器の底部によって下方へ押圧されることで前記フラップに前記スライドと前記回転とをさせるための傾斜面と、前記フラップの上面部に前記傾斜面に隣接して形成され、略水平とされた底部に小物が載置可能な載置部と、閉位置にある前記フラップに当接する部位に設けられ、前記フラップの前記閉位置から下方への回転を防止すると共に、前記閉位置から前記開口面に沿った方向へスライドした位置からの下方への回転を許容する当接部と、前記閉位置方向へ前記フラップを付勢し、前記フラップを前記飲料容器に押し当てることで前記支持部に支持された前記飲料容器のガタ付きを抑制する付勢手段と、を備える。
【０００７】
上記構成によれば、カップホルダの容器保持部の上面に飲料容器を挿入するための開口部が形成されており、開口部の下方には飲料容器の底部を支持する支持部が有る。そして、容器保持部の上面の開口部に飲料容器を挿入すると、容器保持部における支持部の上方に開閉可能に設けられたフラップの上面部に形成された傾斜面が飲料容器の底部によって押圧される。これにより、フラップが閉位置から開口部の開口面に沿った方向へスライドすることで、フラップが当接部から外れ、下方へ回転する。このため、飲料容器が容器保持部内に入り、飲料容器の底部が容器保持部の支持部に支持される。また、付勢手段によってフラップが閉位置方向へ付勢され、飲料容器に押し当てられる。このため、付勢手段の付勢力によって容器保持部に挿入された飲料容器のガタ付きが抑制される。
【０００８】
一方、容器保持部の開口部に小物を挿入する場合には、フラップの上面部に傾斜面に隣接して形成された載置部における略水平とされた底部に小物を載置する。これにより、閉位置にあるフラップが下方へ押圧されるが、当接部が閉位置にあるフラップに当接し、フラップの閉位置から下方への回転を防止する。このため、小物が容器保持部の支持部方向へ落ち込むことがない。この結果、開口部に入れた小物を取り出すことができ、カップホルダを小物入れとしても使用できる。
【０００９】
本発明の請求項２に係るカップホルダは、請求項１に記載のカップホルダにおいて、前記フラップと前記容器保持部との何れか一方に軸を設け、他方に前記スライド方向に沿った長孔を備え、前記長孔で前記軸を回転可能に軸支する軸受部を設けると共に、前記当接部は前記容器保持部における前記フラップの回転軌跡上に形成されている。
【００１０】
上記構成によれば、フラップと容器保持部との何れか一方に軸が設けられており、他方に、フラップのスライド方向に沿った長孔を備え、この長孔で軸を軸支する軸受部が設けられている。また、当接部が容器保持部におけるフラップの回転軌跡上に形成されている。このため、簡単な構成で小物入れとしても使用可能なカップホルダを得ることができる。
【００１１】
本発明の請求項３に係るカップホルダは、請求項１又は請求項２に記載のカップホルダにおいて、前記当接部は前記フラップにおける前記回転中心と反対側となる自由端側に当接する。
【００１２】
上記構成によれば、当接部がフラップにおける回転中心と反対側となる自由端側に当接する。このため、当接部からフラップが外れる際の、フラップのスライド長さを短くできる。この結果、カップホルダに飲料容器を挿入し易くなる。
【００１３】
本発明の請求項４に係るカップホルダは、請求項１〜３の何れか１項に記載のカップホルダにおいて、前記フラップは複数の分割フラップで構成されており、前記フラップの前記閉位置において前記分割フラップに形成された前記載置部が互いに対向する位置となる。
【００１４】
上記構成によれば、フラップが複数の分割フラップで構成されているため、分割フラップの移動範囲を小さくできる。この結果、飲料容器を挿入し易くなると共にカップホルダを小型化できる。また、フラップの閉位置において、分割フラップに形成された載置部が互いに対向する位置となる。このため、カップホルダの載置部が広くなり小物を載置し易くなる。
【００１５】
本発明の請求項５に係るカップホルダは、請求項１〜４の何れか１項に記載のカップホルダにおいて、前記フラップが前記開閉方向へ移動することで作動するスイッチ部材を備えている。
【００１６】
上記構成によれば、フラップが開閉方向へ移動することでスイッチ部材が作動する。このため、カップホルダに温度制御装置や照明装置等を設けた場合に、フラップの開閉に基づいて、温度制御装置や照明装置等を作動させることができる。
【発明の効果】
【００１７】
請求項１に記載の本発明のカップホルダは、上記構成としたので、小物入れとしても使用可能なカップホルダを得ることができる。
【００１８】
請求項２に記載の本発明のカップホルダは、上記構成としたので、簡単な構成で小物入れとしても使用可能なカップホルダを得ることができる。
【００１９】
請求項３に記載の本発明のカップホルダは、上記構成としたので、カップホルダに飲料容器を挿入し易くなる。
【００２０】
請求項４に記載の本発明のカップホルダは、上記構成としたので、飲料容器を挿入し易くなると共にカップホルダを小型化できる。また、カップホルダの載置部が広くなり小物を載置し易くなる。
【００２１】
請求項５に記載の本発明のカップホルダは、上記構成としたので、フラップの開閉に基づいて、温度制御装置や照明装置等を作動させることができる。
【図面の簡単な説明】
【００２２】
【図１】本発明の一実施形態に係るカップホルダを示す斜め上方から見た斜視図である。
【図２】本発明の一実施形態に係るカップホルダを示す側面図である。
【図３】本発明の一実施形態に係るカップホルダを示す上方から見た平面図である。
【図４】図３の４−４断面線に沿った断面図である。
【図５】本発明の一実施形態に係るカップホルダのカップ保持状態を示す図４に対応する断面図である。
【図６】本発明の一実施形態に係るカップホルダの小物載置状態を示す図４に対応する断面図である。
【発明を実施するための形態】
【００２３】
本発明の実施形態に係るカップホルダ（飲料容器収納装置）の一例について図１〜図６に従って説明する。なお、図中に示すＵＰは、カップホルダの鉛直方向上方を示す。
【００２４】
図１〜図６に示される本実施形態のカップホルダ１０は、例えば、自動車のセンターコンソールの下方であってシフトレバーの後方に配置される。
【００２５】
図１に示されるように、カップホルダ１０は上下方向に延びる矩形箱状の容器保持部１２を備えており、容器保持部１２の上面１２Ａには飲料容器を挿入するための円形の開口部１４が形成されている。また、カップホルダ１０の容器保持部１２の内部にはフラップ１６が設けられている。このフラップ１６は一対（２つ）の分割フラップ１８、２０で構成されており、開口部１４の下方を塞ぐ位置に配置されている。
【００２６】
図２に示すように、閉止位置にある分割フラップ１８、２０は、それぞれの一端側となる自由端１８Ａ、２０Ａが互いに当接するようになっている。また、分割フラップ１８、２０の他端側となる軸支端１８Ｂ、２０Ｂは、容器保持部１２の軸支部１２Ｂ、１２Ｃに軸２２、２４によって軸支されている。
【００２７】
容器保持部１２の軸支部１２Ｂ、１２Ｃには、軸２２、２４が挿入される長孔２６、２８が形成されている。これらの長孔２６、２８は、分割フラップ１８、２０のスライド方向となる開口部１４の開口面に沿った方向となる開口部１４の径方向（図２の左右方向）を長手方向としている。
【００２８】
従って、分割フラップ１８、２０は開口部１４の径方向に沿って、接近する方向（図４の矢印Ａ方向）と離間する方向（図４の矢印Ｂ方向）とスライド可能となっている。また、分割フラップ１８、２０は、図４の矢印Ｂ方向へスライドすると、その後、軸２２、２４を回転中心にして下方（図４の矢印Ｃ方向）へ回転可能となる。さらに、分割フラップ１８、２０は、軸２２、２４を回転中心にして開放位置（図５参照）から上方（図５の矢印Ｄ方向）へ回転可能となっている。また、分割フラップ１８、２０は、上方（図５の矢印Ｄ方向）へ回転すると、その後、互いに接近する方向（図４の矢印Ａ方向）へスライド可能となる。なお、分割フラップ１８、２０は、それぞれの自由端１８Ａ、２０Ａが互いに当接することで、閉止位置から上方へ回転しないようになっている。
【００２９】
図２に示すように、容器保持部１２の軸支部１２Ｂ、１２Ｃは、容器保持部１２の側壁部１２Ｄから径方向外方へ突出している。また、軸支部１２Ｂ、１２Ｃの内部における軸２２、２４の外周部には、付勢手段としてのねじりコイルばね３４がそれぞれ巻き付けられている。
【００３０】
軸２２に設けられたねじりコイルばね３４の一端は分割フラップ１８に、他端は軸支部１２Ｂに係合しており、軸２４に設けられたねじりコイルばね３４の一端は分割フラップ２０に、他端は軸支部１２Ｃに係合している。そして、各ねじりコイルばね３４の付勢力によって、分割フラップ１８、２０が閉位置方向、即ち、互いに接近する方向（図４の矢印Ａ方向）に移動すると共に、軸２２、２４を回転中心にして上方（図５の矢印Ｄ方向）へ回転するようになっている。
【００３１】
容器保持部１２の側壁部１２Ｄの内周面には、対向する位置に一対の当接部４０が突出形成されている。各当接部４０は、それぞれの上端部４０Ａが、閉止位置（図４参照）にある分割フラップ１８、２０の自由端１８Ａ、２０Ａの下面に当接する位置に形成されている。また、容器保持部１２における開口部１４の下方には、飲料容器としてのカップ７０の底部７０Ａを支持する支持部１２Ｆが有り、各当接部４０の下端部４０Ｂは支持部１２Ｆに達している。なお、当接部４０は上方から下方へ向かって幅Ｗ１が徐々に広くなった山形状とされている。
【００３２】
従って、分割フラップ１８、２０が閉止位置（図４参照）にある場合には、当接部４０によって、分割フラップ１８、２０は閉止位置から下方（図４の矢印Ｃ方向）へ回転しないようになっている。
【００３３】
一方、分割フラップ１８、２０が閉止位置（図４参照）から、離間する方向（図４の矢印Ｂ方向）へスライドした場合には、分割フラップ１８、２０の自由端１８Ａ、２０Ａの下面が当接部４０の上端部４０Ａから外れるようになっている。従って、分割フラップ１８、２０が軸２２、２４を回転中心にして閉止位置（図４参照）から下方（図４の矢印Ｃ方向）へ回転できるようになっている。
【００３４】
分割フラップ１８、２０の上面部には、開口部１４の縁部近傍から、開口部１４の内側下方へ向かって傾斜した傾斜面４４、４６が形成されている。これらの傾斜面４４、４６は、上部４４Ａ、４６Ａに比べて下部４４Ｂ、４６Ｂがなだらかな傾斜面となっている。
【００３５】
図３に示すように、分割フラップ１８、２０には傾斜面４４、４６がそれぞれ開口部１４の周方向に所定の間隔を開けて２面形成されており、４つの傾斜面４４、４６が開口部１４の周方向に沿って略等間隔で形成されている。また、上方から見て一方の傾斜面４４と一方の傾斜面４６とが対向する位置となっており、他方の傾斜面４４と他方の傾斜面４６とが対向する位置となっている。
【００３６】
従って、これらの傾斜面４４、４６が、カップ７０の底部７０Ａの周縁部によって下方側へ押圧されることで、傾斜面４４、４６とカップ７０の底部７０Ａの周縁部とが摺動するようになっている。その結果、分割フラップ１８、２０が閉止位置（図４参照）から、開口部１４の径方向に沿って互いに離間する方向（図４の矢印Ｂ方向）へスライドし、その後、軸２２、２４を回転中心にして下方（図４の矢印Ｃ方向）へ回転するようになっている。
【００３７】
図６に示すように、分割フラップ１８、２０の上面部には、携帯電話機７２等の小物を載置するための載置部５０、５２が上方から下方に向かって形成されている。また、載置部５０、５２の底部５０Ａ、５２Ａは、上下方向において傾斜面４４、４６の下部４４Ｂ、４６Ｂと対応する位置に略水平に形成されており、携帯電話機７２の底部７２Ａを支持するようになっている。なお、略水平とは、水平、又は底部５０Ａ、５２Ａを上方から下方へ向かって押圧しても、分割フラップ１８、２０が閉止位置（図４参照）から、開口部１４の径方向に沿って互いに離間する方向（図４の矢印Ｂ方向）へスライドしない程度の僅かな傾斜である。
【００３８】
図３に示すように、上方から見て分割フラップ１８の載置部５０は２つの傾斜面４４の間に、傾斜面４４に隣接して形成されており、分割フラップ２０の載置部５２は２つの傾斜面４６の間に、傾斜面４６に隣接して形成されている。また、載置部５０と載置部５２とは同一幅Ｗ２で開口部１４の半径方向に沿って形成されており、互いに対向する位置となっている。
【００３９】
従って、これらの載置部５０、５２が、携帯電話機７２の底部７２Ａによって下方へ押圧された場合には，分割フラップ１８、２０が閉止位置（図４参照）から、開口部１４の径方向に沿って互いに離間する方向（図４の矢印Ｂ方向）へスライドしないようになっている。このため、分割フラップ１８、２０の自由端１８Ａ、２０Ａの下面が当接部４０の上端部４０Ａから外れず、分割フラップ１８、２０が軸２２、２４を回転中心にして閉止位置（図４参照）から下方（図４の矢印Ｃ方向）へ回転しないようになっている。
【００４０】
なお、上方から見て分割フラップ１８の各傾斜面４４と分割フラップ２０の各傾斜面４６との間の部位には下方へ凹んだ逃げ部５４が形成されており、カップ７０の底部７０Ａや携帯電話機７２の底部７２Ａと干渉しないようになっている。
【００４１】
図５に示すように、カップ７０がカップホルダ１０に収納された状態では、カップ７０の底部７０Ａが容器保持部１２の支持部１２Ｆに支持されるようになっている。また、分割フラップ１８、２０の自由端１８Ａ、２０Ａがカップ７０の外周面７０Ｂを挟持するようになっている。さらに、ねじりコイルばね３４の付勢力によって、分割フラップ１８、２０が互いに接近する方向（カップ７０を挟持する方向）に移動しようとする。従って、ねじりコイルばね３４の付勢力によって、分割フラップ１８、２０を介してカップ７０のガタ付きを抑制できるようになっている。
【００４２】
（作用・効果）
図１〜図４に示されるように、本実施形態のカップホルダ１０においては、分割フラップ１８、２０がねじりコイルばね３４の付勢力によって互いに接近する方向（図４の矢印Ａ方向）に付勢されている。また、閉止位置（図４参照）にある分割フラップ１８、２０の自由端１８Ａ、２０Ａの下面に当接部４０の上端部４０Ａが当接している。
【００４３】
カップホルダ１０にカップ７０を挿入する場合には、先ずユーザは、カップ７０を容器保持部１２の上面１２Ａに形成された開口部１４に挿入する。この際、カップ７０の底部７０Ａの周縁部が、ねじりコイルばね３４の付勢力に抗して分割フラップ１８、２０の傾斜面４４、４６を上方から下方へ向けって押圧する。このため、傾斜面４４、４６とカップ７０の底部７０Ａの周縁部とが摺動し、分割フラップ１８、２０が閉止位置（図４参照）から互いに離間する方向（図４の矢印Ｂ方向）へスライドして、分割フラップ１８、２０の自由端１８Ａ、２０Ａの下面が当接部４０の上端部４０Ａから外れる。この結果、分割フラップ１８、２０が軸２２、２４を回転中心にして下方（図４の矢印Ｃ方向）へ回転する。これにより、カップ７０の底部７０Ａが分割フラップ１８、２０の間に入り、容器保持部１２の支持部１２Ｆに支持される。
【００４４】
なお、カップ７０の底部７０Ａが容器保持部１２の支持部１２Ｆに支持され状態（収納状態）では、分割フラップ１８、２０がカップ７０の外周面７０Ｂを挟持すると共に、ねじりコイルばね３４の付勢力によって、分割フラップ１８、２０が互いに接近する方向（カップ７０を挟持する方向）に移動しようとする。このため、カップ７０の底部７０Ａが容器保持部１２の支持部１２Ｆに支持され状態（収納状態）では、カップ７０のガタ付きを抑制することができる。
【００４５】
一方、図６に示すように、カップホルダ１０に小物の一例としての携帯電話機７２を載置する場合には、ユーザは、携帯電話機７２を容器保持部１２の上面１２Ａに形成された開口部１４に挿入する。この際、携帯電話機７２の底部７２Ａを、分割フラップ１８、２０に形成された載置部５０、５２の底部５０Ａ、５２Ａに載置する。これにより、載置部５０、５２の底部５０Ａ、５２Ａが下方へ押圧されるため、分割フラップ１８、２０は、軸２２、２４を回転中心にして閉止位置（図４参照）から下方（図４の矢印Ｃ方向）へ回転しようとする。しかしながら、分割フラップ１８、２０が閉止位置（図４参照）から、互いに離間する方向（図４の矢印Ｂ方向）へスライドしないので、分割フラップ１８、２０は当接部４０によって回転を防止される。このため、携帯電話機７２が、容器保持部１２の支持部１２Ｆに落ち込むことはなく、支持部１２Ｆより上方に形成された載置部５０、５２に載置される。この結果、開口部１４に入れた携帯電話機７２を容易に取り出すことができる。なお、携帯電話機７２より小さい小物の場合にも、小物が容器保持部１２の支持部１２Ｆへ落ち込むことがないため、開口部１４に入れた小物を取り出すことができる。この結果、カップホルダ１０を小物入れとしても使用できる。
【００４６】
また、本実施形態のカップホルダ１０では、分割フラップ１８、２０に軸２２、２４が設けられている。一方、容器保持部１２に分割フラップ１８、２０のスライド方向に沿った長孔２６、２８を備え、軸２２、２４を回転可能に軸支する軸支部１２Ｂ、１２Ｃが設けられている。また、当接部４０が容器保持部１２における分割フラップ１８、２０の回転軌跡上に形成されている。このため、簡単な構成で、上記のようにカップホルダ１２を小物入れとしても使用できる。
【００４７】
なお、容器保持部１２側に軸２２、２４を設け、分割フラップ１８、２０側に分割フラップ１８、２０のスライド方向に沿った長孔２６、２８を備え、軸２２、２４を回転可能に軸支する軸支部を設けた構成としてもよい。
【００４８】
また、本実施形態のカップホルダ１０では、当接部４０の上端部４０Ａが、閉止位置にある分割フラップ１８、２０の回転中心と反対側となる自由端１８Ａ、２０Ａに当接している。このため、当接部４０の上端部４０Ａから分割フラップ１８、２０が外れる際の、分割フラップ１８、２０のスライド長さを短くできる。この結果、カップホルダ１０にカップ７０を挿入し易くなる。
【００４９】
また、本実施形態のカップホルダ１０では、フラップ１６が２つの分割フラップ１８、２０で構成されている。このため、分割フラップ１８、２０の移動範囲を小さくできるので、カップホルダ１０にカップ７０を挿入し易くなると共にカップホルダ１０を小型化できる。また、フラップ１６の閉位置において、分割フラップ１８の載置部５０と分割フラップ２０の載置部５２とが開口部１４の半径方向に沿って形成されており、互いに対向する位置となっている。このため、カップホルダ１０の載置部の底部が広くなり、小物を載置し易くなる。
【００５０】
（実施形態の補足説明）
なお、本発明を特定の実施形態について詳細に説明したが、本発明は係る実施形態に限定されるものではなく、本発明の範囲内にて他の種々の実施形態が可能であることは当業者にとって明らかである。例えば、図４〜図６に示すように、例えば、容器保持部１２における軸支部１２Ｂ、１２Ｃの内部にスイッチ部材の一例としてのマイクロスイッチ９０を設け、フラップ１６が開閉方向へ移動することでマイクロスイッチ９０が作動するようにしてもよい。具体的には、分割フラップ２０が軸２４を回転中心にして閉止位置（図４参照）から下方（図４の矢印Ｃ方向）へ回転することで、マイクロスイッチ９０がオンすると共に、上方（図５の矢印Ｄ方向）へ回転することで、マイクロスイッチ９０がオフする。そして、マイクロスイッチ９０のオンオフの動作に基づいて、カップホルダ１０に設けた図示しない温度制御装置や照明装置等を作動させることができる構成としてもよい。なお、スイッチ部材はマイクロスイッチ９０に限定されない。
【００５１】
また、上記実施形態のカップホルダ１０では、当接部４０が閉止位置にある分割フラップ１８、２０の自由端１８Ａ、２０Ａに当接する構成にした。これに代えて、当接部４０が分割フラップ１８、２０の自由端１８Ａ、２０Ａ以外の部位に当接する構成としてもよい。
【００５２】
また、上記実施形態のカップホルダ１０では、フラップ１６を２つの分割フラップ１８、２０で構成した。これに代えて、フラップ１６を１つにした構成や、３つ以上の分割フラップとした構成にしてもよい。
【００５３】
また、上記実施形態のカップホルダ１０では、開口部１４の形状を円形としたが、開口部１４の形状を楕円や矩形等の他の形状としてもよい。
【００５４】
また、上記実施形態のカップホルダ１０では、付勢手段としてねじりコイルばね３４を使用したが、付勢手段は弾性体等の他の付勢手段としてもよい。
【００５５】
その他、本発明は、その要旨を逸脱しない範囲で種々変更して実施できる。
【符号の説明】
【００５６】
１０    カップホルダ
１２    容器保持部
１４    開口部
１６    フラップ
１８    分割フラップ
２０    分割フラップ
３４    ねじりコイルばね（付勢手段）
４０    当接部
４４    傾斜面
４６    傾斜面
５０    載置部
５２    載置部
７０    カップ（飲料容器）
７２    携帯電話機（小物）
９０    マイクロスイッチ（スイッチ部材）
【図１】
2015058797.tif 000003
【図２】
2015058797.tif 000004
【図３】
2015058797.tif 000005
【図４】
2015058797.tif 000006
【図５】
2015058797.tif 000007
【図６】
2015058797.tif 000008